(57)【要約】【課題】製造コストを減少することができる家庭用電気製品の電源コード取付構造を提供する。【解決手段】電源コード２９を備え、電源コード２９を取り出す取り出し口３１に対向する出口３２と連通する入口３４まで至る通路３３に折り返し部３８を設けた家庭用電気製品１０の電源コード取付構造において、出口３２の近傍であって折り返し部３８ｂ前後の通路間の立壁３６ｃに、電源コード２９を挿通するスリット３７が形成された。【選択図】図５
2009125357.tif 000002
【特許請求の範囲】
【請求項１】
電源コードを備え、該電源コードを取り出す取り出し口に対向する出口と連通する入口まで至る通路に折り返し部を設けた家庭用電気製品の電源コード取付構造において、
前記出口の近傍であって前記折り返し部前後の通路間の立壁に、前記電源コードを挿通するスリットを形成したことを特徴とする家庭用電気製品の電源コード取付構造。
【請求項２】
前記通路はサイズの大きい電源コードを配設可能で、或いはサイズの小さい電源コードを二重に配設可能で、前記スリットは前記サイズの小さい電源コードを挿通可能に形成されたことを特徴とする請求項１に記載の家庭用電気製品の電源コード取付構造。
【請求項３】
前記通路に配設され、前記電源コードに当接するリブを前記通路に沿って複数設けたことを特徴とする請求項１又は２のいずれかに記載の家庭用電気製品の電源コード取付構造。
【発明の詳細な説明】
【技術分野】
【０００１】
本発明は、電源コードを有する電気湯沸かし器、加湿器等の家庭用電気製品の電源コード取付構造に関する。
【背景技術】
【０００２】
一般に家庭用電気製品は、電気を供給するための電源コードと電源コードを固定する電源コード取付部品を有する。電源コードには、国内向けの平型電源コードと海外向けの丸型電源コードの２種類がある。このため、電源コード取付部品を、国内向けの平型電源コードのみを考慮して設計すると、海外向けの丸型電源コードを取り付ける場合にスペースが狭く組み立てが困難であった。一方で、電源コード取付部品を、海外向けの丸型電源コードのみを考慮して設計すると、国内向けの平型電源コードを取り付ける場合に十分な固定ができず、内部配線に張力が加わり断線などの不具合があった。
【０００３】
このため、電源コード取付部品を電源コードの種類毎に設計、製作をする必要があり製造コストが増加するという問題があった。
【発明の開示】
【発明が解決しようとする課題】
【０００４】
本発明は前記従来の問題点に鑑みてなされたもので、製造コストを減少することができる家庭用電気製品の電源コード取付構造を提供することを課題とする。
【課題を解決するための手段】
【０００５】
前記課題を解決するための手段として、本発明に係る家庭用電気製品は電源コードを備え、該電源コードを取り出す取り出し口に対向する出口と連通する入口まで至る通路に折り返し部を設けた家庭用電気製品の電源コード取付構造において、前記出口の近傍であって前記折り返し部前後の通路間の立壁に、前記電源コードを挿通するスリットを形成したものである。
【０００６】
折り返し部前後の通路間の立壁にスリットを形成し、このスリットを電源コードが挿通することで、折り返し部を通って出口に至るように電源コードを配設する方法と、折り返し部で１８０°折り曲げて二重にし、スリットから出口に至るように電源コードを配設する方法を採ることができる。
【０００７】
具体的な１つの手段として、前記通路はサイズの大きい電源コードを配設可能で、或いはサイズの小さい電源コードを二重に配設可能で、前記スリットは前記サイズの小さい電源コードを挿通可能に形成されたことが好ましい。
【０００８】
通路にサイズの大きい、或いはサイズの小さい電源コードを配設することができるので、電源コードのサイズが異なっても電源コード取付構造を共通化することができ、電源コード取付部品の製造コストを減少することができる。
【０００９】
又、スリットにサイズの小さい電源コードを挿通することで、サイズの大きい電源コードを配設する通路の折り返し部にサイズの小さい電源コードを二重に配設し、折り返し部で固定することができる。
【００１０】
更に、前記通路に配設され、前記電源コードに当接するリブを前記通路に沿って複数設けたことが好ましい。
【００１１】
通路に沿って複数のリブを設けることで、リブが電源コードを通路の底面との間に圧接し、電源コードをより確実に固定することができる。
【発明の効果】
【００１２】
折り返し部前後の通路間の立壁にスリットが形成されこのスリットを電源コードが挿通することで、折り返し部を通って出口に至るように電源コードを配設する方法と、折り返し部で１８０°折り曲げて二重にし、スリットから出口に至るように電源コードを配設する方法を採ることができる。
【００１３】
通路にサイズの大きい、或いはサイズの小さい電源コードを配設することができるので、電源コードのサイズが異なっても電源コード取付構造を共通化することができ、電源コード取付部品の製造コストを減少することができる。又、スリットにサイズの小さい電源コードを挿通することで、サイズの大きい電源コードを配設する通路の折り返し部にサイズの小さい電源コードを二重に配設し、折り返し部で固定することができる。
【００１４】
通路に沿って複数のリブを設けることで、リブが電源コードを通路の底面との間に圧接し、電源コードをより確実に固定することができる。
【発明を実施するための最良の形態】
【００１５】
次に添付図面を参照して本発明の実施形態を詳細に説明する。
【００１６】
図１及び２に本発明の実施形態に係る家庭用電気製品である電気ケトル１０を示す。図２に示すように電気ケトル１０は、液体を収容する内容器１１と、内容器１１を収容する本体１２と、本体１２の上端開口を開閉する蓋体１３と、本体１２の下端に取り付けられた底体１４と、底体１４と係合する載置台１５とを備える。
【００１７】
有底の内容器１１の底部外面には、載置台１５と係合することにより電気の供給を受ける上部接続器１６と、上部接続器１６と電気的に接続され内容器１１を加熱する加熱手段である環状のアルミブレージングヒータ１７と、アルミブレージングヒータ１７と上部接続器１６の間に、底体１４を本体１２に取り付けるためのねじ１８ａと螺合する底体取付脚１９とが設置されている。
【００１８】
本体１２は、筒形状をなす胴体２１と、胴体２１の後部に配設された把手部２２を備える。
【００１９】
蓋体１３は、後端側に設けたヒンジ２３周りに開閉自在に取り付けられている。蓋体１３が開放することで、内容器１１に液体を注げる。蓋体１３の前方には注ぎ口２４が形成されており、内容器１１内の液体を排出する。
【００２０】
有底の底体１４には、上部接続器１６と係合する下部接続器２５を挿通する孔２６ａが形成されている。ねじ１８ａを底体１４の孔２６ｂに挿通し、内容器１１底部の底体取付脚１９と螺合することで、底体１４が内容器１１に取り付けられている。
【００２１】
図３に示すように載置台１５は、上部接続器１６と係合する下部接続器２５と、下部接続器２５を設置する下部材２７と、底体１４を上面に載置する上部材２８とから構成されている。
【００２２】
下部接続器２５は電源（図示せず）に差し込まれる電源コード２９（図２参照）と電気的に接続され、内容器１１底部の上部接続器１６を介してアルミブレージングヒータ１７に電気を供給する。
【００２３】
下部材２７には図４（ｂ）に示すように、中心近傍から電源コード２９を取り出す取り出し口３１と繋がる出口３２まで至り、電源コード２９を挿通する通路３３が一体成形されている。通路３３は、入口３４を形成する第１及び第２ボス３５ａ、３５ｂと、第１ボス３５ａから下部材２７の外方に向かって湾曲する第１立壁３６ａと、第１立壁３６ａの端部に形成された第３ボス３５ｃと、第３ボス３５ｃから下部材２７の内方に向かって延びる第３立壁３６ｃと、第３立壁３６ｃの端部と間隔を開けて配設されスリット３７を形成する第４ボス３５ｄと、第２ボス３５ｂから第１立壁３６ａに向かって延びる第２立壁３６ｂと、第２ボス３５ｂから第１ボス３５ａと反対方向に延び第４ボス３５ｄの周りを周回するように湾曲してＵ字型を形成する第４立壁３６ｄと、第４立壁３６ｄの端部を形成する第５ボス３５ｅとから形成されている。第３ボス３５ｃ及び第５ボス３５ｅが出口３２を形成している。
【００２４】
第１通路３３ａは、第１及び第２ボス３５ａ、３５ｂから始まり、第１立壁３６ａと第２立壁３６ｂから形成されている。第１折り返し部３８ａは、第１立壁３６ａと第２立壁３６ｂの端部３９から形成されている。第２通路３３ｂは、第２立壁３６ｂの端部３９と第３ボス３５ｃから始まり、第２立壁３６ｂ、第４立壁３６ｄと第３立壁３６ｃとから形成されている。第２折り返し部３８ｂは、第４立壁３６ｄと第４ボス３５ｄとから形成されている。第３通路３３ｃは、第４ボス３５ｄと第５ボス３５ｅの近傍から始まり、第３立壁３６ｃと第５ボス３５ｅとから形成されている。
【００２５】
各通路３３の幅は、サイズの大きい電源コード２９ａを配設するように形成されており、サイズの小さい電源コード２９ｂを二重に配設することができる。
【００２６】
又、下部材２７には下部接続器２５を嵌合支持する嵌合部４１と、上部材２８を取り付けるねじ１８ｂを挿通する孔４２とが形成されている。
【００２７】
上部材２８には、下部接続器２５を挿通する孔４３が形成されている。上部材２８の裏面には図４（ａ）に示すように、入口３４から出口３２まで一点鎖線で示す通路３３に沿って配設され、通路３３の底面との間で電源コード２９を圧接する複数のリブ４４（４４ａ、４４ｂ、４４ｃ、４４ｄ、４４ｅ、４４ｆ、４４ｇ、４４ｈ）が下方に向かって配設されている。該リブ４４の先端は凹形状である。又、上部材２８の裏面には、上部材２８を下部材２７に取り付けるためのねじ１８ｂを螺合する下部材取付脚４５が、下部材２７に向かって配設されている。
【００２８】
次に、図５を参照して、下部材２７の通路３３にサイズの大きい電源コード２９ａ及びサイズの小さい電源コード２９ｂをそれぞれ配設する手順について説明する。ここでサイズの大きい電源コード２９ａとは、例えば図６（ａ）に示す３芯コードであり、サイズの小さい電源コード２９ｂとは、例えば図６（ｂ）に示す２芯コードである。
【００２９】
サイズの大きい電源コード２９ａの配設手順は図５（ａ）に示すように、サイズの大きい電源コード２９ａを、まず入口３４から第１通路３３ａに配設し、第１折り返し部３８ａを周回させる。次に第２通路３３ｂに配設し、第２折り返し部３８ｂを周回させる。その後、第３通路３３ｃを通って、出口３２に向かって配設する。
【００３０】
取り出し口３１から外方に延びるサイズの大きい電源コード２９ａは、引っ張られる又は押し込まれても、第２折り返し部３８ｂが抵抗になることにより下部材２７に固定されることができる。
【００３１】
サイズの小さい電源コード２９ｂの配設手順は図５（ｂ）に示すように、前記サイズの大きい電源コード２９ａと同様にまず、入口３４から第１通路３３ａに配設し、第１折り返し部３８ａを周回させる。次に第２通路３３ｂに配設し、第２折り返し部３８ｂを周回させる。続いて第５ボス３５ｅに当接し１８０°折り曲げて二重にし、再び第２折り返し部３８ｂを周回させる。その後、スリット３７に挿通し第３通路３３ｃを通って、出口３２に向かって配設する。
【００３２】
以上の様に、第２折り返し部３８ｂ前後の通路間の立壁である第３立壁３６ｃにスリット３７が形成されこのスリット３７にサイズの小さい電源コード２９ｂを挿通することで、第２折り返し部３８ｂではサイズの小さい電源コード２９ｂを二重に配設することができ、サイズの小さい電源コード２９ｂを第２折り返し部３８ｂで圧接し固定することができる。
【００３３】
通路３３にサイズの大きい、或いはサイズの小さい電源コード２９ａ、２９ｂを配設することができるので、電源コード２９のサイズが異なっても電源コード取付構造を共通化することができ、電源コード取付部品の製造コストを減少することができる。
【００３４】
次に下部材２７の上に上部材２８を取り付けると、サイズの大きい電源コード２９ａは、図６（ａ）に示すように上部材２８裏面に配設されたリブ４４と通路３３の底面との間に圧接される。
【００３５】
サイズの小さい電源コード２９ｂは、図６（ｂ）に示すように長径方向の軸を鉛直にすることでリブ４４と通路３３の底面との間に圧接される。
【００３６】
図４（ａ）に示すようにリブ４４は、サイズの大きい電源コード２９ａ及びサイズの小さい電源コード２９ｂのどちらであっても、入口３４から挿通し第１立壁３６ａに案内される電源コード２９をリブ４４ａ、リブ４４ｂが順に下方に押圧する。第３立壁３６ｃに案内される電源コード２９をリブ４４ｃが押圧し、第４立壁３６ｄに案内される電源コード２９をリブ４４ｄ、リブ４４ｅ、リブ４４ｆ、リブ４４ｇが順に押圧する。出口３２でリブ４４ｈが電源コード２９を押圧する。
【００３７】
従って、通路３３に沿って複数の上部材２８の裏面にリブ４４を設けることで、リブ４４が電源コード２９を通路３３の底面との間に圧接し、電源コード２９をより確実に固定することができる。
【００３８】
本発明に係る家庭用電気製品の電源コード取付構造は、前記実施形態に限定されず種々の変形が可能である。
【００３９】
第２折り返し部３８ｂの形状は、必要な強度を確保し、第４ボス３５ｄとの間で電源コード２９を固定することができる限り、実施形態のものに限定されない。例えば、Ｕ字型に替えてＶ字型である構成も採用し得る。
【００４０】
上部材２８の裏面に配設されるリブ４４の数は、通路３３の底面との間で電源コード２９を圧接し固定する限り、実施形態の数に限定されない。リブ４４の数を増やす、又は減らす構成も採用し得る。
【図面の簡単な説明】
【００４１】
【図１】本発明の実施形態に係る家庭用電気製品の斜視図。
【図２】本発明の実施形態に係る家庭用電気製品の部分断面側面図。
【図３】本発明の実施形態に係る載置台の分解斜視図。
【図４】（ａ）本発明の実施形態に係る上部材の部分底面図（ｂ）本発明の実施形態に係る下部材の上面図。
【図５】（ａ）本発明の実施形態に係るサイズの大きい電源コードを通路に配設した状態を示す上面図（ｂ）本発明の実施形態に係るサイズの小さい電源コードを通路に配設した状態を示す上面図。
【図６】（ａ）本発明の実施形態に係るリブがサイズの大きい電源コードを下方に押圧している状態を示す断面図（ｂ）本発明の実施形態に係るリブがサイズの小さい電源コードを下方に押圧している状態を示す断面図。
【符号の説明】
【００４２】
１０  電気ケトル（家庭用電気製品）
２９  電源コード
２９ａ  サイズの大きい電源コード
２９ｂ  サイズの小さい電源コード
３１  取り出し口
３２  出口
３３  通路
３６  立壁
３６ｃ  第３立壁
３７  スリット
３８  折り返し部
３８ｂ  第２折り返し部
４４  リブ
【図１】
2009125357.tif 000003
【図２】
2009125357.tif 000004
【図３】
2009125357.tif 000005
【図４】
2009125357.tif 000006
【図５】
2009125357.tif 000007
【図６】
2009125357.tif 000008